(57)【要約】【課題】高い装飾性が得られると共にスムーズに回転させることができる釣竿用リールシートのナットとそれを備えたリールシート及び釣竿を提供する。【解決手段】リールシート本体の雄ネジ部に螺合し、移動フードを移動させるためのナット１２であって、リールシート本体の雄ネジ部に螺合する移動用の雌ネジ部５０を内周面に有する内筒体４１，４２と、該内筒体４１，４２の外側に固定され、その外周面がナット１２の外周面の少なくとも一部となる外筒体４０とを備え、外筒体４０は、内外方向に貫通した貫通孔７３を有し、該貫通孔７３よりも移動フードから遠い位置に、内筒体４１，４２の外周面と外筒体４０の内周面とを固定する固定部６４，７２，８２を備えている。【選択図】図７
2020089310.tif 000002
【特許請求の範囲】
【請求項１】
リールシート本体の雄ネジ部に螺合し、移動フードを移動させるためのナットであって、
リールシート本体の雄ネジ部に螺合する移動用の雌ネジ部を内周面に有する内筒体と、該内筒体の外側に固定され、その外周面がナットの外周面の少なくとも一部となる外筒体とを備え、外筒体は、内外方向に貫通した貫通孔を有し、該貫通孔よりも移動フードから遠い位置に、内筒体の外周面と外筒体の内周面とを固定する固定部を備えている、釣竿用リールシートのナット。
【請求項２】
固定部は接着部とネジ部のうち少なくとも一方を有している請求項１記載の釣竿用リールシートのナット。
【請求項３】
内筒体の内周面であって移動用の雌ネジ部よりも移動フードから遠い位置に、クッション材が装着されている請求項１又は２記載の釣竿用リールシートのナット。
【請求項４】
内筒体は、移動フードから離れる方向に向けて外筒体から突出する突出筒部を有している請求項１乃至３の何れかに記載の釣竿用リールシートのナット。
【請求項５】
内筒体は、移動用の雌ネジ部を有するベース筒体と、該ベース筒体の外側に固定された中間筒体とを備え、中間筒体の外周面と外筒体の内周面とが固定部により固定されており、中間筒体が突出筒部を有している請求項４記載の釣竿用リールシートのナット。
【請求項６】
外筒体は、中間筒体よりも移動フード側に突出した突出筒部を有し、ベース筒体は、中間筒体よりも移動フード側に突出した突出筒部を有し、外筒体の突出筒部の内周面がベース筒体の突出筒部の外周面に固定されている請求項５記載の釣竿用リールシートのナット。
【請求項７】
ベース筒体の突出筒部は、外側に突出するフランジ部を有し、該フランジ部に外筒体の移動フード側の端面が当接し、中間筒体の突出筒部は、移動フード側を向いた段差部を有し、該段差部に外筒体の移動フードから遠い側の端面が当接している請求項６記載の釣竿用リールシートのナット。
【請求項８】
請求項１乃至７の何れかに記載のナットを備えた釣竿用リールシート。
【請求項９】
請求項８記載の釣竿用リールシートを備えた釣竿。
【発明の詳細な説明】
【技術分野】
【０００１】
本発明は、釣竿にリールを固定するためのリールシートにおけるナットとそれを備えたリールシート及び釣竿に関する。
【背景技術】
【０００２】
筒状のリールシートにおいては、リールシート本体に筒状の移動フードが移動可能に装着されている。該移動フードは、ナットに回転可能に係止されている。ナットは、リールシート本体の雄ネジ部に螺合している。ナットを回転させることによって移動フードを移動させることができる。
【０００３】
ナットの装飾性を高めるために、下記特許文献１では、筒部の外側に筒状のカバー部材を備えている。カバー部材は、移動フードに近い方の端部である後端部において筒部の外側のリング状部材にネジ止めされていると共に接着されている。カバー部材は、移動フードと反対側の端部である前端部が筒部から突出している。また、カバー部材には貫通孔が形成されている。貫通孔は、リング状部材よりも前側に位置している。このリールシートのナットにおいては、カバー部材の前部に貫通孔が形成されていて移動フードから貫通孔が離れた箇所にあるので、移動フードに近いナットの後部を摘んでナットを回転操作しにくい。
【先行技術文献】
【特許文献】
【０００４】
【特許文献１】特開２０１８−６８２２７号公報
【発明の概要】
【発明が解決しようとする課題】
【０００５】
それゆえに本発明は、高い装飾性が得られると共にスムーズに回転させることができる釣竿用リールシートのナットとそれを備えたリールシート及び釣竿を提供することを課題とする。
【課題を解決するための手段】
【０００６】
本発明は上記課題を解決すべくなされたものであって、本発明に係る釣竿用リールシートは、リールシート本体の雄ネジ部に螺合し、移動フードを移動させるためのナットであって、リールシート本体の雄ネジ部に螺合する移動用の雌ネジ部を内周面に有する内筒体と、該内筒体の外側に固定され、その外周面がナットの外周面の少なくとも一部となる外筒体とを備え、外筒体は、内外方向に貫通した貫通孔を有し、該貫通孔よりも移動フードから遠い位置に、内筒体の外周面と外筒体の内周面とを固定する固定部を備えている。
【０００７】
該構成のナットは、貫通孔よりも移動フードから遠い位置に、内筒体の外周面と外筒体の内周面とを固定する固定部を備えている。そのため、貫通孔を移動フードに近づけることができる。貫通孔が移動フードに近い位置にあると、ナットを摘んで回転させる際に力を入れやすく、スムーズ且つ容易にナットを回転させることができる。
【０００８】
特に、固定部は接着部とネジ部のうち少なくとも一方を有していることが好ましい。固定部が接着部を有している場合には、内筒体の外周面と外筒体の内周面とを接着により容易に固定することができる。固定部がネジ部を有している場合には、内筒体の外周面と外筒体の内周面とをネジ止め構造によって容易に固定することができる。そして、ネジ止め構造と接着とを併用することによって、内筒体の外周面と外筒体の内周面とをより一層強固に固定することができる。尚、ネジ部は、内筒体の外周面に形成された固定用の雄ネジ部と、外筒体の内周面に形成され、内筒体の固定用の雄ネジ部に螺合する固定用の雌ネジ部とから構成される。
【０００９】
また、内筒体の内周面であって移動用の雌ネジ部よりも移動フードから遠い位置に、クッション材が装着されていることが好ましい。ナットを緩めた際に、リールシート本体からナットが外れてナットが竿本体のブランクの外側に位置することがある。その際、ナットがブランクの外周面に当たってブランクの外周面に傷が付くことを、クッション材によって防止することができる。
【００１０】
また、内筒体は、移動フードから離れる方向に向けて外筒体から突出する突出筒部を有していることが好ましい。この構成によれは、内筒体の突出筒部と、貫通孔から見える内筒体の外周面とによって、高い装飾性が得られる。
【００１１】
特に、内筒体は、移動用の雌ネジ部を有するベース筒体と、該ベース筒体の外側に固定された中間筒体とを備え、中間筒体の外周面と外筒体の内周面とが固定部により固定されており、中間筒体が突出筒部を有していることが好ましい。内筒体がベース筒体とそれとは別体の中間筒体とを備えることにより、例えばベース筒体を樹脂製としてリールシート本体との摺動特性を良好なものとすることができる。また、中間筒体を金属性とすることで、装飾性や質感をより一層高めることができる。そして、中間筒体の突出筒部と、貫通孔から見える中間筒体の外周面とによって、高い装飾性が得られる。
【００１２】
更に、外筒体は、中間筒体よりも移動フード側に突出した突出筒部を有し、ベース筒体は、中間筒体よりも移動フード側に突出した突出筒部を有し、外筒体の突出筒部の内周面がベース筒体の突出筒部の外周面に固定されていることが好ましい。該構成によれば、外筒体と中間筒体とベース筒体とがより一層強固に固定されることになる。
【００１３】
更に、ベース筒体の突出筒部は、外側に突出するフランジ部を有し、該フランジ部に外筒体の移動フード側の端面が当接し、中間筒体の突出筒部は、移動フード側を向いた段差部を有し、該段差部に外筒体の移動フードから遠い側の端面が当接していることが好ましい。該構成によれば、ベース筒体の突出筒部のフランジ部と中間筒体の突出筒部の段差部とによって、外筒体が中心線方向の両側から挟み込まれる。そのため、外筒体と中間筒体とベース筒体とがより一層強固に固定されることになる。
【００１４】
また、本発明に係る釣竿用リールシートは、上述したナットを備えており、本発明に係る釣竿は、上述したナットを備えたリールシートを備えている。
【発明の効果】
【００１５】
以上のように、外筒体に貫通孔を設けると共にその貫通孔に対して固定部が移動フードから離れた位置に存在することにより、ナットをしっかりと掴んで回転操作することができる。
【図面の簡単な説明】
【００１６】
【図１】本発明の一実施形態におけるリールシートを示す正面図。
【図２】同リールシートの断面図。
【図３】図２の要部拡大図。
【図４】同リールシートのナットを示す斜視図。
【図５】同ナットの正面図。
【図６】図５のＡ−Ａ端面図。
【図７】同ナットの断面図。
【図８】同ナットの組み立て手順を示す一部破断線を含む正面図。
【図９】同ナットの組み立て手順を示す正面図。
【図１０】同ナットの組み立て手順を示す断面図。
【発明を実施するための形態】
【００１７】
以下、本発明の一実施形態に係る釣竿用リールシートのナットとそれを備えたリールシート及び釣竿について図１〜図１０を参酌しつつ説明する。リールシート１は、釣竿に図示しないリールを固定するためのものであって、釣竿の竿本体に装着されて使用される。図１〜図３のように、リールシート１は、いわゆるパイプシートと称されるものであって、全体として筒状のものであり、竿本体の径方向外側に被せられるように装着される。リールシート１は、竿本体の所定位置に接着により固定される。本実施形態のリールシート１は両軸リールを取り付けるためのものであるが、スピニングリールを取り付けるためのものであってもよい。両軸リールは使用状態において釣竿の上側に位置する。そのため、図面ではリールが上側を向く状態を基準の状態としてリールシート１を示している。尚、以下の説明において、径方向外側を単に外側と称し、径方向内側を単に内側と称する。また、リールシート１及び竿本体の中心線方向を、前後方向とする。
【００１８】
リールシート１は、竿本体の外側に接着固定される筒状のリールシート本体１０と、該リールシート本体１０の外側に回転不能に且つ中心線方向に直線的に移動可能に被せられた筒状の移動フード１１と、該移動フード１１を中心線方向に移動させるための筒状のナット１２とを備えている。尚、本実施形態ではナット１２は移動フード１１の前側に位置しているが、移動フード１１の後側にナット１２が位置する構成であってもよい。図１〜図３に示すように、竿本体は、リールシート１から前側に延びる第一のブランク２ａと、リールシート１から後側に延びる第二のブランク２ｂとを備えている。第一のブランク２ａは第二のブランク２ｂの内側に挿入されて継ぎ合わせられる。リールシート本体１０の内側において、第一のブランク２ａと第二のブランク２ｂが継ぎ合わせられている。第一のブランク２ａの外側には筒状の口金３が装着されている。口金３の後端面はリールシート本体１０の前端面に当接している。尚、第二のブランク２ｂの外側にリールシート本体１０が図示しない筒状のスペーサを介して接着固定される。但し、リールシート本体１０がスペーサを介さずに直接第二のブランク２ｂに接着固定されてもよい。また、竿本体のブランクの構成は任意であって、一本のブランクの所定位置にリールシート本体１０が固定されてもよい。
【００１９】
リールシート本体１０は、その前端部側の外周面に移動用の雄ネジ部２０を備えている。移動用の雄ネジ部２０は、リールシート本体１０の前端部から後側に所定長さ領域に亘って形成されている。移動用の雄ネジ部２０にはガイド溝２１が前後方向に延びて形成されている。ガイド溝２１はリールシート本体１０の前端部から後側に延びていて移動用の雄ネジ部２０の全長に亘って直線状に形成されている。該ガイド溝２１によって移動用の雄ネジ部２０のネジ山が分断されている。ガイド溝２１は、例えば、上下左右に９０度間隔で合計四本形成されたり、上下に１８０度対向して合計二本形成されたり、左右に１８０度対向して合計二本形成されたりする。ガイド溝２１の本数や配置は任意である。
【００２０】
リールシート本体１０は、その外周面の上面にリール脚取付部２２を備えている。リールシート本体１０は、リール脚取付部２２の後側に、図示しないリール脚の後端部を保持するための固定フード部２３を備えている。固定フード部２３はリールシート本体１０に一体的に形成されていて、その開口部は前側を向いている。従って、固定フード部２３にはリール脚の後端部が前側から挿入される。リールシート本体１０の下部には、パーミング時に掴むためのグリップ部２４が下方に向けて膨出している。リールシート本体１０は、例えば合成樹脂製であって射出成形によって形成される。
【００２１】
リールシート本体１０の雄ネジ部２０にナット１２が螺合している。ナット１２の後側に移動フード１１が位置している。移動フード１１は筒状であってリールシート本体１０の外周面の外側に被せられている。移動フード１１はガイド溝２１に係合していてリールシート本体１０に対して前後方向に移動可能であるが回転不能である。移動フード１１の全周のうちの上部に部分的に径方向外側に膨出したフード部１１ａが形成されており、そのフード部１１ａにリール脚の前端部が後側から挿入される。
【００２２】
移動フード１１の前端部とナット１２の後端部が相対回転可能に連結されている。移動フード１１の前端部の外周面には環状の係合溝３０が形成されている。ナット１２の後端部の内周面には環状の係合凸条３１が形成されている。ナット１２の係合凸条３１が移動フード１１の係合溝３０に係合している。ナット１２が回転しながら前後に移動すると、それに合わせて移動フード１１は前後に移動するものの回転はしない。ナット１２を後側に移動させることで移動フード１１を固定フード部２３に接近させることができ、移動フード１１と固定フード部２３でリール脚を前後に狭持して固定することができる。逆に、ナット１２を前側に移動させると、移動フード１１は固定フード部２３から離れるように前側に移動して、リール脚の固定状態が解除される。
【００２３】
＜ナット１２＞
ナット１２は、複数の筒状の部材から構成されている。ナット１２の単体の状態を図４〜図７に示している。複数の筒状の部材は、リールシート本体１０の中心線を回転中心軸として一体となって回転する。本実施形態では、ナット１２は、三つの筒状の部材から構成されているが、二つの筒状の部材から構成されていてもよい。ナット１２は、内筒体と外筒体４０とを備えている。内筒体は、リールシート本体１０の雄ネジ部２０に螺合する移動用の雌ネジ部５０を内周面に有している。外筒体４０は、内筒体の外側に固定されている。外筒体４０は内筒体と一体に回転する。外筒体４０の外周面は、ナット１２の外周面のうち少なくとも一部を構成する。
【００２４】
＜ベース筒体４１＞
内筒体は一つの筒状の部材から構成されていてもよいが、本実施形態では二つの筒状の部材から構成されている。即ち、内筒体は、ベース筒体４１と中間筒体４２とを備えている。ベース筒体４１は、移動用の雌ネジ部５０を内周面に有している。ベース筒体４１の内周面はナット１２の内周面である。ベース筒体４１は、合成樹脂製であることが好ましい。特に、リールシート本体１０が合成樹脂製である場合には、ベース筒体４１を合成樹脂製とすることが好ましい。一方、ベース筒体４１を金属製とすることもでき、リールシート本体１０が金属製である場合にはベース筒体４１を金属製とすることが好ましい。
【００２５】
移動用の雌ネジ部５０は、ベース筒体４１の内周面の全長のうち大部分に形成されている。移動用の雌ネジ部５０は、ベース筒体４１の前端部に達している。ベース筒体４１の後端部の内側には、移動フード１１の前端部が挿入される。移動フード１１の前端部は、ベース筒体４１の後端部とリールシート本体１０との間に位置する。ベース筒体４１の後端部の内周面に、上述した環状の係合凸条３１が内側に向けて突設されている。
【００２６】
ベース筒体４１の外周面は、段差部５１を介して第一外周面５２と第二外周面５３とに区画されている。段差部５１は前側を向いている。第一外周面５２は段差部５１の前側に位置し、第二外周面５３は段差部５１の後側に位置している。第一外周面５２と第二外周面５３は、それぞれ径一定である。第一外周面５２は、第二外周面５３よりも小径である。第一外周面５２は第二外周面５３よりも長く、ベース筒体４１の外周面の全長のうち半分以上を占めている。ベース筒体４１の外周面の後端部には、外側に向けて環状のフランジ部５４が突設されている。フランジ部５４は、第二外周面５３に形成されている。ベース筒体４１の外周面のうちフランジ部５４の外周面のみが外部に露出しており、残る部分は中間筒体４２あるいは外筒体４０によって覆われていて外部には露出していない。ベース筒体４１は、中間筒体４２から後側に突出する突出筒部５５を有している。突出筒部５５が、第二外周面５３を有しており、フランジ部５４を有している。フランジ部５４に外筒体４０の後端面が当接している。中間筒体４２の後端面は、ベース筒体４１の段差部５１には当接しておらず段差部５１から前側に若干離れている。ナット１２の後端部はベース筒体４１のフランジ部５４により構成されている。ベース筒体４１の第一外周面５２には、図６及び図９のように、凹溝５６が形成されている。凹溝５６は例えば前後方向に沿って延びている。凹溝５６は周方向に間隔をあけて複数形成されている。凹溝５６は、ベース筒体４１の第一外周面５２と中間筒体４２とを接着する際の接着溜まりとして機能する。
【００２７】
＜中間筒体４２＞
中間筒体４２はベース筒体４１の外側に固定されている。図５において中間筒体４２には多数のドットを付して示している。中間筒体４２は、ベース筒体４１とは異なる材質から構成されることが好ましく、金属製であることが好ましい。ベース筒体４１が合成樹脂製である場合には、中間筒体４２は金属製であることが好ましい。中間筒体４２は、ベース筒体４１の第一外周面５２の外側に被せられている。中間筒体４２の内周面はベース筒体４１の第一外周面５２に接着により固定されている。中間筒体４２の前端部の内周面には、内側に向かって突出する環状突条６０が形成されている。環状突条６０は、ベース筒体４１の前端部から前側に離間している。環状突条６０の内周面は、ベース筒体４１の移動用の雌ネジ部５０におけるネジ山の先端面よりも小径である。
【００２８】
中間筒体４２の外周面は、段差部６１を介して第一外周面６２と第二外周面６３とに区画されている。段差部６１は後側を向いている。第一外周面６２は段差部６１の後側に位置し、第二外周面６３は段差部６１の前側に位置している。第一外周面６２は第二外周面６３よりも長く、中間筒体４２の外周面の全長のうち半分以上を占めている。第一外周面６２は径一定である。第一外周面６２は、第二外周面６３よりも小径である。第二外周面６３は、前側に向けて徐々に小径となっている。第一外周面６２は外筒体４０の内側に位置し、第二外周面６３は外筒体４０よりも前側に位置している。段差部６１に外筒体４０の前端面が当接している。第一外周面６２の前部に固定用の雄ネジ部６４が形成されている。固定用の雄ネジ部６４は、第一外周面６２の全長のうち前部のみに形成されている。固定用の雄ネジ部６４は、段差部６１の近傍であって直後に位置している。
【００２９】
中間筒体４２は、外筒体４０の内側に位置する主筒部６５と、外筒体４０から前側に突出した突出筒部６６とを有している。主筒部６５の長さは突出筒部６６よりも長い。主筒部６５は、薄肉状であり、突出筒部６６は、主筒部６５よりも厚肉である。主筒部６５は第一外周面６２を有し、突出筒部６６は第二外周面６３を有している。主筒部６５と突出筒部６６との境界部に段差部６１が形成されている。突出筒部６６は環状突条６０を有している。主筒部６５は外筒体４０とベース筒体４１とによって径方向に挟まれている。ナット１２の前端部は中間筒体４２の突出筒部６６により構成されている。中間筒体４２の第二外周面６３は、ナット１２の外周面の一部である前部を構成している。
【００３０】
＜外筒体４０＞
外筒体４０は、中間筒体４２に固定されている。また、外筒体４０は、ベース筒体４１にも固定されている。即ち、外筒体４０は、中間筒体４２とベース筒体４１の双方に固定されている。外筒体４０は、中間筒体４２の主筒部６５の外側に重なり合うように位置する主筒部７０と、中間筒体４２から後側に突出する突出筒部７１とを有している。外筒体４０の前端面は中間筒体４２の段差部６１に当接している。外筒体４０の主筒部７０の内周面の前部には、中間筒体４２の固定用の雄ネジ部６４と螺合する固定用の雌ネジ部７２が形成されている。主筒部７０の内周面は、中間筒体４２の第一外周面６２と略同じ長さである。
【００３１】
主筒部７０には、主筒部７０を内外方向に貫通する貫通孔７３が形成されている。貫通孔７３は固定用の雌ネジ部７２よりも後側に位置している。固定用の雌ネジ部７２と貫通孔７３は互いに前後方向に所定距離離間している。貫通孔７３は、種々の形状、配置であってよい。本実施形態では、前後方向に長い形状である。互いに周方向に対称形状である左右一対の貫通孔７３を一組として、その貫通孔７３の組が周方向に等間隔毎に合計七組形成されている。即ち、貫通孔７３は、合計１４個形成されている。外筒体４０の主筒部７０の内周面と中間筒体４２の主筒部６５の外周面との間には、その前後の部分に比して、外筒体４０の主筒部７０の内周面が中間筒体４２の主筒部６５の外周面から外側に大きく離間した環状の空洞部７４が形成されている。環状の空洞部７４に面した主筒部７０の部分に貫通孔７３が形成されている。従って、貫通孔７３は中間筒体４２から外側に離間しており、貫通孔７３と中間筒体４２との間には環状の空洞部７４が介在している。貫通孔７３は空洞部７４と連通している。主筒部７０の内周面のうち貫通孔７３の前後の位置には、それぞれ中間筒体４２の第一外周面６２と略同径の部分が存在している。外筒体４０の突出筒部７１の内周面は、主筒部７０の内周面よりも一段大径である。突出筒部７１の内周面は径略一定であって、その大部分はベース筒体４１の第二外周面５３と略同径である。
【００３２】
ベース筒体４１の第一外周面５２は、中間筒体４２の内周面と接着されている。即ち、ベース筒体４１の第一外周面５２と中間筒体４２の内周面との間に、ベース筒体４１と中間筒体４２とを固定するための固定部である接着部８０が設けられている。ベース筒体４１の第二外周面５３は、外筒体４０の突出筒部７１の内周面と接着されている。即ち、ベース筒体４１の第二外周面５３と外筒体４０の突出筒部７１の内周面との間に、ベース筒体４１と外筒体４０とを固定するための固定部である接着部８１が設けられている。
【００３３】
外筒体４０は、外筒体４０の固定用の雌ネジ部７２と中間筒体４２の固定用の雄ネジ部６４とにより、中間筒体４２に固定されている。即ち、外筒体４０の固定用の雌ネジ部７２と中間筒体４２の固定用の雄ネジ部６４は、外筒体４０と中間筒体４２とを固定するための固定部である。外筒体４０の固定用の雌ネジ部７２と中間筒体４２の固定用の雄ネジ部６４とにより、外筒体４０と中間筒体４２とを固定するための固定部としてのネジ部が構成されている。また、外筒体４０の固定用の雌ネジ部７２と中間筒体４２の固定用の雄ネジ部６４は、互いに接着されており、外筒体４０の固定用の雌ネジ部７２と中間筒体４２の固定用の雄ネジ部６４との間には接着部８２が設けられている。この外筒体４０の固定用の雌ネジ部７２と中間筒体４２の固定用の雄ネジ部６４との間の接着部８２は、ネジ部と共に、外筒体４０と中間筒体４２とを固定するための固定部である。尚、貫通孔７３の前後において、外筒体４０の主筒部７０の内周面と中間筒体４２の第一外周面６２とが接着されていてもよい。即ち、貫通孔７３と固定用の雌ネジ部７２との間の箇所や、貫通孔７３と突出筒部７１との間の箇所において、外筒体４０が中間筒体４２の外周面に接着により固定されていてもよい。
【００３４】
＜クッション材４３＞
ナット１２は、クッション材４３を備えている。クッション材４３は、中間筒体４２の環状突条６０とベース筒体４１の前端部との間に設けられている。クッション材４３は例えば発泡ＥＶＡ等の発泡樹脂からなる。クッション材４３は環状である。クッション材４３は、環状突条６０とベース筒体４１の前端部との間の位置において、中間筒体４２の内周面に接着により固定されている。クッション材４３の前端面は環状突条６０に当接している。クッション材４３の内径は環状突条６０の先端径よりも小径であり、クッション材４３の内周面は環状突条６０の先端面よりも内側に突出している。クッション材４３の内周面は移動用の雌ネジ部５０のネジ山の先端面よりも小径である。
【００３５】
＜ナット１２の組み立て＞
まず、図８のように、中間筒体４２と外筒体４０とを固定する。中間筒体４２の主筒部６５の外側に外筒体４０を後側から被せる。中間筒体４２の固定用の雄ネジ部６４に外筒体４０の固定用の雌ネジ部７２を螺合させる。外筒体４０の前端面が中間筒体４２の段差部６１に当接するまで、外筒体４０を中間筒体４２にねじ込んでいく。このようにして中間筒体４２に外筒体４０を固定する。尚、中間筒体４２の固定用の雄ネジ部６４には予め接着剤を塗布しておく。また、中間筒体４２の内側には予めクッション材４３を接着固定しておくことが好ましい。
【００３６】
次に、図９及び図１０のように、外筒体４０が装着された状態の中間筒体４２の内側に、ベース筒体４１を挿入する。外筒体４０の後端面にベース筒体４１のフランジ部５４が当接するまでベース筒体４１を中間筒体４２の内側にスライドさせながら挿入する。尚、ベース筒体４１の第一外周面５２及び第二外周面５３には予め接着剤を塗布しておく。このようにしてベース筒体４１を中間筒体４２及び外筒体４０に固定する。
【００３７】
以上のように、本実施形態のリールシート１は、貫通孔７３よりも前側に、外筒体４０と中間筒体４２とを固定するためのネジ部と接着部８２が設けられている。そのため、貫通孔７３を移動フード１１から近い位置に設けることができる。貫通孔７３が移動フード１１に近いので、ナット１２を回転させる際に力を入れやすく、ナット１２をスムーズに且つ容易に回転させることができる。しかも、ネジ部と接着部８２の両方が設けられているので、外筒体４０と中間筒体４２とを強固に固定することができる。即ち、ネジ部と接着部８２とを併用することによって、外筒体４０と中間筒体４２を強固に固定することができる。
【００３８】
しかも、ネジ部における接着部８２が貫通孔７３から離れているので、ネジ部の接着剤が貫通孔７３の内側の箇所まではみ出しにくい。また、中間筒体４２の段差部６１に外筒体４０の前端面が当接しているので、ネジ部の接着剤がナット１２の外周面にはみ出しにくくなる。また、外筒体４０の前端面が中間筒体４２の段差部６１によってカバーされるので、外筒体４０の前端面から接着剤がはみ出したとしても、その接着剤が外部から見えにくくなる。
【００３９】
また、外筒体４０の突出筒部７１の内周面とベース筒体４１の突出筒部５５の外周面とが接着により固定されているので、外筒体４０と中間筒体４２とベース筒体４１という三つの筒体をより一層強固に固定することができる。外筒体４０の突出筒部５５は貫通孔７３から後側に離間しているので、貫通孔７３から接着剤がはみ出すおそれがない。そして、外筒体４０は、貫通孔７３の前側においては、ネジ部と接着部８２とによって中間筒体４２に固定され、貫通孔７３の後側においては、接着部８１によってベース筒体４１に固定されている。従って、外筒体４０は、貫通孔７３の前後二箇所であってしかも貫通孔７３から前後方向に離れた箇所において、それぞれ中間筒体４２やベース筒体４１に固定されているので、外筒体４０がしっかりと固定されることになる。また更に、ベース筒体４１のフランジ部５４と中間筒体４２の段差部６１とによって外筒体４０が前後方向の両側から挟み込まれている。そのため、外筒体４０と中間筒体４２とベース筒体４１とがより一層強固に固定されることになる。
【００４０】
また、貫通孔７３は、中間筒体４２の第一外周面６２の外側に重なり合うように位置しているので、貫通孔７３を通して中間筒体４２の第一外周面６２をナット１２の外部から視認することができる。そのため、ナット１２の装飾性が向上する。特に、ナット１２は釣り人が頻繁に操作する部材であるため、ナット１２の装飾性を向上させることにより、リールシート１及び釣竿の趣味性を大きく向上させることができる。
【００４１】
また、中間筒体４２の突出筒部６６が外筒体４０から前側に突出して露出しているので、中間筒体４２の突出筒部６６と、貫通孔７３から見える中間筒体４２の第一外周面６２との双方をナット１２の外部から視認できる。中間筒体４２の突出筒部６６は貫通孔７３から前側に大きく離間しており、中間筒体４２の突出筒部６６と、貫通孔７３から見える中間筒体４２の第一外周面６２とが同一の部材から構成されているため、高い装飾性が得られる。外筒体４０の内側に、ベース筒体４１と中間筒体４２という二つの筒体が設けられているので、ベース筒体４１を合成樹脂製とし、中間筒体４２を金属製とすることができる。そのため、貫通孔７３から金属製の中間筒体４２が見えることで高い質感が得られる。また、金属製の中間筒体４２が突出筒部６６を有していることによって高い質感が得られる。一方、ベース筒体４１を樹脂製とすることで、リールシート本体１０との摺動特性を良好なものとすることができ、特にリールシート本体１０を合成樹脂製とした場合に効果的である。
【００４２】
また、ベース筒体４１の内周面にクッション材４３が装着されているので、ナット１２を前側に移動させてナット１２が竿本体の第一のブランク２ａに当接した際における第一のブランク２ａの外周面の傷付きを、クッション材４３によって防止することができる。尚、図３のように、ナット１２を後側に移動させた際にクッション材４３にリールシート本体１０の前端部が当接した状態では、クッション材４３がリールシート本体１０の前端部によって外側あるいは前側に押されて圧縮変形する。
【００４３】
尚、本実施形態では、外筒体４０と中間筒体４２とを固定するための固定部として、ネジ部と接着部８２とを設けたが、接着部８２を省略してネジ部のみの構成としてもよいし、逆に、ネジ部を省略して接着部８２のみの構成としてもよい。
【００４４】
上記実施形態では、外筒体４０の内側に位置する内筒体がベース筒体４１と中間筒体４２とを備えた構成であったが、内筒体が一つの筒体から構成されていてもよい。
【００４５】
リールシート本体１０の構成も任意であって、グリップ部２４に代えてトリガを設けていてもよい。リールシート本体１０の後端部に移動用の雄ネジ部２０が形成されていてもよく、その場合には、移動フード１１の後側にナット１２が位置する。
【符号の説明】
【００４６】
１    リールシート
２ａ  第一のブランク（竿本体）
２ｂ  第二のブランク（竿本体）
３    口金
１０    リールシート本体
１１    移動フード
１１ａ  フード部
１２    ナット
２０    移動用の雄ネジ部
２１    ガイド溝
２２    リール脚取付部
２３    固定フード部
２４    グリップ部
３０    係合溝
３１    係合凸条
４０    外筒体
４１    ベース筒体（内筒体）
４２    中間筒体（内筒体）
４３    クッション材
５０    移動用の雌ネジ部
５１    段差部
５２    第一外周面
５３    第二外周面
５４    フランジ部
５５    突出筒部
５６    凹溝（凹部）
６０    環状突条
６１    段差部
６２    第一外周面
６３    第二外周面
６４    固定用の雄ネジ部（固定部）
６５    主筒部
６６    突出筒部
７０    主筒部
７１    突出筒部
７２    固定用の雌ネジ部（固定部）
７３    貫通孔
７４    空洞部
８０    接着部
８１    接着部
８２    接着部（固定部）
【図１】
2020089310.tif 000003
【図２】
2020089310.tif 000004
【図３】
2020089310.tif 000005
【図４】
2020089310.tif 000006
【図５】
2020089310.tif 000007
【図６】
2020089310.tif 000008
【図７】
2020089310.tif 000009
【図８】
2020089310.tif 000010
【図９】
2020089310.tif 000011
【図１０】
2020089310.tif 000012